【手続補正書】
【提出日】平成26年9月3日(2014.9.3)
【手続補正１】
【補正対象書類名】特許請求の範囲
【補正対象項目名】全文
【補正方法】変更
【補正の内容】
【特許請求の範囲】
【請求項１】
第１の方向において粗になる第１の領域と密になる第２の領域とを有するように配列される光源からの光を導光する導光体であって、
前記光源からの光が入射する入射部と、該入射部からの光を導光する導光部と、該導光部からの光を反射する反射部と、該反射部からの光が出射する出射部と、を有し、
前記反射部及び前記出射部の少なくとも一方は、前記第１の方向に垂直な第１の断面内において集光作用を有し、かつ、前記第１の方向に配列される第１及び第２の曲面を含み、
前記第１の曲面は、前記第１の領域からの光を前記第１の方向に平行な第２の断面内において第１の拡散度で拡散し、前記第２の曲面は、前記第２の領域からの光を前記第２の断面内において前記第１の拡散度よりも低い第２の拡散度で拡散することを特徴とする導光体。
【請求項２】
前記第１及び第２の曲面の前記第２の断面内における曲率半径をそれぞれＲ１及びＲ２、前記第１及び第２の曲面の配列間隔をそれぞれＰ１及びＰ２、とするとき、前記第１及び第２の拡散度はそれぞれＰ１／Ｒ１、Ｐ２／Ｒ２で表されることを特徴とする請求項１に記載の導光体。
【請求項３】
０．２＜Ｐ１／Ｒ１＜２
０．２＜Ｐ２／Ｒ２＜２
なる条件を満たすことを特徴とする請求項２に記載の導光体。
【請求項４】
前記第１の領域からの光は、前記入射部の前記第１の方向における中央部に入射し、前記第２の領域からの光は、前記入射部の前記第１の方向における端部に入射することを特徴とする請求項１乃至３のいずれか１項に記載の導光体。
【請求項５】
前記第１及び第２の曲面の前記第２の断面内における曲率半径は一定であることを特徴とする請求項１乃至４のいずれか１項に記載の導光体。
【請求項６】
前記第１及び第２の曲面の前記第２の断面内における曲率半径は非一定であることを特徴とする請求項１乃至４のいずれか１項に記載の導光体。
【請求項７】
前記第１及び第２の曲面の配列間隔は非一定であることを特徴とする請求項１乃至６のいずれか１項に記載の導光体。
【請求項８】
前記第１及び第２の曲面の配列間隔は、前記第１の方向における中央部よりも端部の方が小さいことを特徴とする請求項７に記載の導光体。
【請求項９】
前記第１及び第２の曲面の配列間隔は一定であることを特徴とする請求項６に記載の導光体。
【請求項１０】
前記第１及び第２の曲面は、前記第２の断面内において前記入射部の反対側に凸となる形状であることを特徴とする請求項１乃至９のいずれか１項に記載の導光体。
【請求項１１】
前記第１及び第２の曲面は、シリンドリカル曲面であることを特徴とする請求項１乃至１０のいずれか１項に記載の導光体。
【請求項１２】
前記第１及び第２の曲面は、前記第１の方向において対称に配列されていることを特徴とする請求項１乃至１１のいずれか１項に記載の導光体。
【請求項１３】
前記入射部からの光が前記反射部を介さずに透過する透過部を有することを特徴とする請求項１乃至１２のいずれか１項に記載の導光体。
【請求項１４】
請求項１乃至１３のいずれか１項に記載の導光体と、前記光源と、を備えることを特徴とする照明装置。
【請求項１５】
前記導光体は、前記入射部からの光が前記反射部を介さずに透過する透過部を有し、前記透過部からの光を反射する反射傘を備えることを特徴とする請求項１４に記載の照明装置。
【請求項１６】
原稿を照明する請求項１４又は１５に記載の照明装置と、前記原稿からの光を受光する受光手段と、を備えることを特徴とする画像読取装置。
【手続補正２】
【補正対象書類名】明細書
【補正対象項目名】００１１
【補正方法】変更
【補正の内容】
【００１１】
上記目的を達成するため、本発明に係る導光体は、第１の方向において粗になる第１の領域と密になる第２の領域とを有するように配列される光源からの光を導光する導光体であって、前記光源からの光が入射する入射部と、該入射部からの光を導光する導光部と、該導光部からの光を反射する反射部と、該反射部からの光が出射する出射部と、を有し、前記反射部及び前記出射部の少なくとも一方は、前記第１の方向に垂直な第１の断面内において集光作用を有し、かつ、前記第１の方向に配列される第１及び第２の曲面を含み、前記第１の曲面は、前記第１の領域からの光を前記第１の方向に平行な第２の断面内において第１の拡散度で拡散し、前記第２の曲面は、前記第２の領域からの光を前記第２の断面内において前記第１の拡散度よりも低い第２の拡散度で拡散することを特徴とする。
また、上記導光体を搭載した照明装置並びに画像読取装置も本発明の他の一側面を構成する。
【手続補正３】
【補正対象書類名】明細書
【補正対象項目名】００１７
【補正方法】変更
【補正の内容】
【００１７】
（導光体および照明装置）
図１乃至図５により、本実施形態に係る導光体１１０およびこれを用いた照明装置１００を説明する。図１（ａ）は、本実施形態に係る照明装置の副走査断面［第１の断面］図（Ｚ−Ｘ断面図）を示す。第１の方向であるＹ方向（主走査方向）に配列される複数の光源１０１は、導光体１１０の入射部１１１に配置される。導光体１１０は、入射部１１１の両側に設定された側面１０２ａ、１０２ｂにより光源１０１からの光を導光する導光部１０２を備える。更に導光体１１０は、導光部１０２からの光を反射するようにＹ方向に沿って設けられる反射部１１２と、反射部１１２からの光を原稿面に導くようにＹ方向に沿って設けられる出射部１１３を備える。
【手続補正４】
【補正対象書類名】明細書
【補正対象項目名】００２１
【補正方法】変更
【補正の内容】
【００２１】
このように所定方向（主走査方向）に配列される光源に関して、図１（ｂ）に示すように、複数の光源は主走査方向の中央部（第１の領域）で所定値より粗い配列（ピッチＡ）とされる一方、端部（第２の領域）で所定値より密な配列（ピッチＡより小さいピッチＢ）とされる。
【手続補正５】
【補正対象書類名】明細書
【補正対象項目名】００２２
【補正方法】変更
【補正の内容】
【００２２】
図２に、本実施形態の導光体の主走査断面［第２の断面］図（Ｙ−Ｚ断面図）を示す。本実施形態における複数のＬＥＤ光源は、図３に示すピッチで主走査方向（Ｙ方向）の２３領域（領域ａ乃至ｗ）に配列され、端部へ行くに従い密な構成とし、主走査方向の端部での発光量を中央部に比べ増大させている。これはＬＥＤ配列が有限の幅であって、端部は主走査方向片側からの光しか得られないこと、また原稿からの光を受光段に導く結像光学系の画角特性を補正するためである。結像光学系の画角特性は、例えば結像光学系の周辺光量低下、光路を折りたたみコンパクト化を図るためのミラーの反射率角度特性、また受光素子おける感度の角度特性等を総合的に考慮したものである。
【手続補正６】
【補正対象書類名】明細書
【補正対象項目名】００２４
【補正方法】変更
【補正の内容】
【００２４】
（拡散機能部）
１）全体構成
拡散機能部は、主走査方向（Ｙ方向）における光源の粗となる領域(第１の領域）に対し、Ｙ方向において第１の拡散度を備える第１の曲面配列、光源の密となる領域(第２の領域）に対しＹ方向において第１の拡散度より弱い（低い）第２の拡散度を備える第２の曲面配列を有する。ここで、拡散機能部のＹ方向における曲面配列の曲率半径をＲ、配列間隔をＰとするとき、前述した拡散度の強弱はＰ／Ｒの大小に相当する。